(57)【要約】【課題】  通信端末に対する操作履歴を共有しても差し支えのない人同志で、操作履歴を伝え合うことによって、電話や電子メール等の具体的なコミュニケーション行為に発展しなくても、相手のことを思う機会を増加させることができるようにする。【解決手段】  複数の通信端末と管理サーバと通信端末情報データベースとを具備するコミュニケーションシステムにおいて、通信端末は、利用者の操作履歴をメモリに記憶し、操作履歴に対応するコマンドを管理サーバに送信する端末であり、管理サーバは、通信端末が送信したコマンドを受信し、通信端末との間で操作履歴を共有している宛先通信端末に、抽象化された画像を表示し、音楽を再生するためのコマンドを送信するサーバであり、宛先通信端末は、管理サーバから受信したコマンドに応じて、抽象化画像を表示し、音楽を再生する。【選択図】  図１
2005333538.tif 000002
【特許請求の範囲】
【請求項１】
利用者が通信端末を操作した操作履歴を共有し合う複数の通信端末と、上記通信端末間の通信と、上記通信端末の参加、退出とを管理する管理サーバと、上記通信端末に関する情報と上記通信端末間のルーティング経路とを登録する通信端末情報データベースとを具備するコミュニケーションシステムにおいて、
上記通信端末は、利用者の操作履歴をメモリに記憶し、上記操作履歴に対応するコマンドを上記管理サーバに送信する端末であり、
上記管理サーバは、上記通信端末が送信したコマンドを受信し、上記通信端末との間で、操作履歴を共有している宛先通信端末を、上記通信端末情報データベースから検索し、検索された宛先通信端末に、抽象化された画像を表示し、音楽を再生するためのコマンドを送信するサーバであり、
上記宛先通信端末は、上記管理サーバから受信したコマンドに応じて、抽象化画像を表示し、音楽を再生する通信端末であり、
上記通信端末に対する操作履歴情報を共有することによって、お互いの存在、行動を伝え合うことを特徴とする操作履歴を用いたコミュニケーションシステム。
【請求項２】
請求項１において、
上記通信端末は、操作履歴を共有している相手との音声通話履歴と、電子メール送受信履歴とに応じて、アドレス帳に登録されている相手の顔写真、似顔絵の濃さ、色を変化させて表示する端末であることを特徴とする操作履歴を用いたコミュニケーションシステム。
【請求項３】
請求項１または請求項２において、
上記通信端末は、操作履歴を共有する相手に会っていない時間に応じて、長さが変化する物理的構成と、上記操作履歴を共有する相手に最後に会ったときからの経過時間を計測する手段とを有することを特徴とする操作履歴を用いたコミュニケーションシステム。
【請求項４】
利用者が通信端末を操作した操作履歴を共有し合う複数の通信端末と、上記通信端末間の通信と、上記通信端末の参加、退出とを管理する管理サーバと、上記通信端末に関する情報と上記通信端末間のルーティング経路とを登録する通信端末情報データベースとを具備するコミュニケーションシステムにおけるコミュニケーション方法において、
上記通信端末が、利用者の操作履歴をメモリに記憶し、操作履歴に対応するコマンドを上記管理サーバに送信する段階と；
上記通信端末が送信したコマンドを、上記管理サーバが受信し、上記通信端末との間で、操作履歴を共有している宛先通信端末を、上記管理サーバが、上記通信端末情報データベースから検索し、検索された宛先通信端末に、抽象化された画像を表示し、音楽を再生するためのコマンドを送信する段階と；
上記宛先通信端末が、上記管理サーバから受信したコマンドに応じて、抽象化画像を表示し、音楽を再生する段階と；
を有し、上記通信端末に対する操作履歴情報を共有することによって、お互いの存在、行動を伝え合うことを特徴とする操作履歴を用いたコミュニケーション方法。
【請求項５】
請求項４において、
操作履歴を共有している相手との音声通話履歴と、電子メール送受信履歴とに応じて、上記通信端末が、アドレス帳に登録されている相手の顔写真、似顔絵の濃さ、色を変化させて表示することを特徴とする操作履歴を用いたコミュニケーション方法。
【請求項６】
請求項４または請求項５において、
上記通信端末は、操作履歴を共有する相手に会っていない時間に応じて、長さが変化する物理的構成を有し、上記操作履歴を共有する相手に最後に会ったときからの経過時間を計測することを特徴とする操作履歴を用いたコミュニケーション方法。
【発明の詳細な説明】
【技術分野】
【０００１】
本発明は、人が情報端末に対して行った操作の履歴を、遠隔地に存在している相手と伝え合い、近くにいるような感覚を芽生えさせる操作履歴を用いたコミュニケーションシステムおよびコミュニケーション方法に関する。
【背景技術】
【０００２】
従来から、通信機器の操作履歴や通信履歴は、故障原因の発生箇所の究明やシステムの集中管理、および操作者の監視に利用されている。たとえば、端末作業履歴を作業者に全く負担をかけることなく再現する端末作業履歴再現装置が提案され（たとえば、特許文献１参照）、また、オペレータの操作履歴を効率よく把握するヒューマンインタフェース端末におけるオペレータの操作履歴収集管理方法及び装置が提案されている（たとえば、特許文献２参照）。
【０００３】
インターネット等のネットワークサービスにおいては、ユーザの利用可能なサービスが多様であり、ユーザが自分に適したサービスを見つけることが困難になっている。そのために、ユーザとのインタラクションや通信端末の操作履歴を利用し、ユーザの状況や嗜好を把握する方法が提案されている（たとえば、特許文献３参照）。
【０００４】
一方、遠隔地でのコミュニケーションを活性化し、円滑化する手段として、アウェアネス情報を利用する方法が提案されている。
【０００５】
たとえば、遠隔地の利用者同志で臨場感のあるインフォーマル会話を行うために、相手の存在を自然に認識できるようにする支援方法について検討している（たとえば、非特許文献１参照）。
【０００６】
また、遠隔講義において、ＷＥＢコンテンツのアクセスログやＷＥＢブラウザ内での行動を分析するだけでなく、全アプリケーションにおける行動履歴を分析し、学習者のアウェアネス情報と理解度との関連性を検討している（たとえば、非特許文献２参照）。
【０００７】
この他、相手の存在に気づいたり、ばったり出会ったりというような「会話動機の発生」や「遭遇」を支援する方法や、相手との会話を思い立つという「呼びかけ」を支援する方法や、相手を探すという「探索」を支援する方法が多く提案されている。
【０００８】
アウェアネス情報では、利用者に関する入力情報の１つとして、利用者の行動履歴を扱っている。しかし、実際は、利用者が生成した命令が、テキストのように明確な情報で表現されるので、情報を提供された側は、命令が実行された事実とその時間とだけを意識してしまいがちである。元々、アウェアネス情報は、仕事面における生産性の向上が主な目的であるので、具体的なコミュニケーション行為に発展させることを前提とする情報提供方法である。
【０００９】
したがって、インパクトの大きい情報を用い、相手に気づかせることによって、コミュニケーションのきっかけを増加させることに目的が集中している。
【特許文献１】特開平６−２１４８３２号
【特許文献２】特開平９−１１４７０８号
【非特許文献１】黒宮寧他，“日常的なインタラクションによるユーザエージェントの実現”The 17th Annual Conference of Japanese Society for Artificial Intelligence, 2003（http://www-kasm.nii.ac.jp/jsai2003/programs/PDF/000120.PDF）
【非特許文献２】広明敏彦他，“遠隔インフォーマル会話におけるアウェアネス支援”情報処理学会研究報告，Ｖｏｌ．９４，Ｎｏ．９６，ｐｐ．３４−４０，１９９５
【非特許文献３】島田健一郎他，“遠隔教育システムにおけるアウェアネス情報分析及び理解度評価”電子情報通信学会技術研究報告，ＩＡ２００１−１９−４１，Ｖｏｌ．１０１，Ｎｏ．４４０，ｐｐ．７９−８６，２００１
【発明の開示】
【発明が解決しようとする課題】
【００１０】
ＩＴ（情報技術）が発展するに従って、あらゆる情報がネットワーク上に流れるようになり、コミュニケーション手段やコミュニケーション端末自体も複雑化している。
【００１１】
また、高精細な映像で、人の行動を監視することができるネットワークシステムが登場し始め、個人のプライバシに対する関心が高まり、情報を提供する側、情報を提供される側の双方に、精神的負担を与えない情報伝達方法が重要な課題となっている。
【００１２】
アウェアネス情報は、具体的なコミュニケーション行為の発生を支援し、遠隔地で行う協調作業を効率化するための情報であるので、自分の存在や場所、行動に関する情報を明確に伝え合う情報であり、また、リアルタイム性が高く、目的がはっきりし、相手に気づかせるための情報であり、悪意を持った第三者に悪用される可能性もある。
【００１３】
これと同様に、人の行動履歴をコミュニケーション支援に活用する場合も、明確な行動履歴情報が、悪意を持った人に漏れると、悪用されやすいので、セキュリティ対策を万全にするか、アウェアネス情報とは逆に、第三者に対して、人情報発信者や発信位置がわからないようにする工夫が必要である。
【００１４】
このほか、アウェアネス情報では、コミュニケーションの発生を促進すること以外に、遭遇を支援し、実世界または仮想世界で会うことに発展することを前提とした情報を扱っている。
【００１５】
このために、最後に会ってからの時間やコミュニケーションを行っていない時間等、経過時間という概念を、あまり取り扱っていない。しかし、実際の生活においては、相手の直接的な行為のみではなく、会っていないという事実や、コミュニケーションを取っていないという事実を知ることが、相手のことを思うきっかけになることが多い。これは、両者で具体的には共有していない時間ではあるが、双方で等しい長さの時間であるためであると考えられる。
【００１６】
本発明は、通信端末に対する操作履歴を共有しても差し支えのない人間関係にある複数の人同志で、操作履歴を伝え合うことによって、電話や電子メール等の具体的なコミュニケーション行為に発展しなくても、相手のことを思う機会を増加させることができる操作履歴を用いたコミュニケーションシステムおよびコミュニケーション方法を提供することを目的とするものである。
【課題を解決するための手段】
【００１７】
本発明は、利用者が通信端末を操作した操作履歴を共有し合う複数の通信端末と、上記通信端末間の通信と、上記通信端末の参加、退出とを管理する管理サーバと、上記通信端末に関する情報と上記通信端末間のルーティング経路とを登録する通信端末情報データベースとを具備するコミュニケーションシステムにおいて、上記通信端末は、利用者の操作履歴をメモリに記憶し、操作履歴に対応するコマンドを上記管理サーバに送信する端末であり、上記管理サーバは、上記通信端末が送信したコマンドを受信し、上記通信端末との間で、操作履歴を共有している宛先通信端末を、上記通信端末情報データベースから検索し、検索された宛先通信端末に、抽象化された画像を表示し、音楽を再生するためのコマンドを送信するサーバであり、上記宛先通信端末は、上記管理サーバから受信したコマンドに応じて、抽象化画像を表示し、音楽を再生する通信端末であり、上記通信端末に対する操作履歴情報を共有することによって、お互いの存在、行動を伝え合うコミュニケーションシステムである。
【発明の効果】
【００１８】
本発明によれば、通信端末に対する操作履歴を共有しても差し支えのない人間関係にある複数の人同志で、操作履歴を伝え合うので、電話や電子メール等の具体的なコミュニケーション行為に発展しなくても、相手のことを思う機会を増加させることができるという効果を奏する。
【発明を実施するための最良の形態】
【００１９】
発明を実施するための最良の形態は、以下の実施例である。
【実施例１】
【００２０】
図１は、本発明の実施例１であるコミュニケーションシステムＣＳ１の構成を示す図である。
【００２１】
コミュニケーションシステムＣＳ１は、発信元通信端末１０１と、宛先通信端末１０２と、その他の利用者のコミュニケーション通信端末１０３と、ネットワーク１１９と、通信端末の管理と通信端末間の通信を制御する管理サーバ１２０と、通信端末に関する情報を管理する通信端末情報データベース１２１とを有する。
【００２２】
発信元コミュニケーション通信端末１０１は、利用者の操作履歴情報を取得する入力装置１０４と、通信端末全体の制御を行う処理装置１０７と、利用者の操作履歴や操作履歴を共有する相手の情報を記憶するメモリ１１０と、通信に関する処理を行う送受信装置１１３と、操作履歴を共有する相手の端末操作に対応して、抽象化された画像を表示したり、音声を再生したりする出力装置１１６とによって構成されている。
【００２３】
宛先コミュニケーション通信端末１０２は、利用者の操作履歴情報を取得する入力装置１０５と、通信端末全体の制御を行う処理装置１０８と、利用者の操作履歴や操作履歴を共有する相手の情報を記憶するメモリ１１１と、通信に関する処理を行う送受信装置１１４と、操作履歴を共有する相手の端末操作に対応して、抽象化された画像を表示し、音声を再生する出力装置１１７とによって構成されている。
【００２４】
他の利用者のコミュニケーション通信端末１０３は、利用者の操作履歴情報を取得する入力装置１０６と、通信端末全体の制御を行う処理装置１０９と、利用者の操作履歴や操作履歴を共有する相手の情報を記憶するメモリ１１２と、通信に関する処理を行う送受信装置１１５と、操作履歴を共有する相手の端末操作に対応して、抽象化された画像を表示し、音声を再生する出力装置１１８とによって構成されている。
【００２５】
次に、コミュニケーションシステムＣＳ１の動作について説明する。
【００２６】
図２は、コミュニケーションシステムＣＳ１の動作を示すフローチャートである。
【００２７】
ステップＳ１において、入力装置１０４は、利用者の操作履歴を検知し、操作履歴情報を取得する。ステップＳ２において、処理装置１０７は、取得した操作履歴情報を通信フレームに変換し、ステップＳ３において、送受信装置１１３は、管理サーバ１２０に操作履歴情報を送信する。ステップＳ４において、管理サーバ１２０は、発信元通信端末１０１との間で操作履歴情報を共有する宛先通信端末１０２を、通信端末情報データベース１２１から検索し、宛先通信端末１０２に対して操作履歴情報を送信する。ステップＳ５において、宛先通信端末１０２は、発信元通信端末１０１からの送られてきた操作履歴情報をデータ変換し、ステップＳ６では、出力装置１１７が抽象化画像を表示し、ステップＳ７では、音声を再生する。
【００２８】
図３は、操作履歴情報の通信フレームを示す図である。
【００２９】
操作履歴情報の通信フレームは、送信元通信端末のネットワークアドレスや、宛先通信端末のアドレスを含むヘッダと、操作履歴コマンド数と、各コマンドの内容と、エラーチェック情報とによって構成されている。
【００３０】
操作履歴コマンドの内容は、コマンド毎に、コマンドＩＤと、開始時間と、継続時間とによって構成されている。
【００３１】
図４は、コマンドの内容の例を示す図である。
【００３２】
ボタン操作、通話等の音声入力、音声通話の発着信、電子メールの送受信、インターネットアクセス等、通信端末の持つ機能に対応して、コマンドＩＤが割り当てられている。また、各コマンドに関しては、開始時間と継続時間とを取り扱う。
【００３３】
図５は、本発明の実施例１を携帯電話に採用した場合の表示方法を示す図である。
【００３４】
コマンド毎に色分けされ、通常時は、面積が等しくなるように表示される。たとえば、電子メール着信時には、相手の携帯電話の表示画面において、電子メール送受信に割り当てられた色の面積が大きくなるように表示される。ここで、重要なのは、ある操作履歴に対応した色の占める割合が大きくなるように表示されるので、他の色の並びや大きさは、どのように変化してもよい。したがって、第三者が、この画面を見ても、誰が発信者であるのか、何をどこでしているのかを特定することができない。
【００３５】
利用者は、この画面を待ち受け画面に設定し、アプリケーション起動時に表示するように設定することができる。ここでは、説明をし易くするために、各色に対してコマンドの種類を明記したが、実施例の目的に従うならば、相手に対して何となく知らせるほうが好ましい。したがって、上記実施例では、各コマンドと色との対応は、一意に決まるのではなく、履歴情報を共有する利用者間で、設定するようにしてもよい。
【００３６】
図６は、実施例１において、相手の操作履歴に対して、音声を再生する場合の例を示す図である。
【００３７】
図６に示すように、操作履歴を共有する相手の操作内容に対応して、異なるメロディが流れる。マナーモード設定等のように、メロディの区別がつかない場合は、操作毎に異なる抽象化画像が、同時に表示されるように設定してもよい。
【００３８】
実施例１によれば、操作履歴を共有するように設定している相手の通信端末に、相手が何らかの操作をすると、その入力内容に基づいて、自分の端末に、抽象的な画像が表示されるので、そして、抽象的な画像は、相手の操作内容が反映されているので、発信者のことをある程度知っている人であれば、または、理解している人であれば、相手の行動や気持ちを、何となく推測することができる。
【００３９】
また、実施例１において、抽象的な画像の代わりや、オプションとして、操作内容に対応した音声を使用するようにしてもよい。
【実施例２】
【００４０】
本発明の実施例２は、音声通話や電子メール等の直接的なコミュニケーション行為に対する操作履歴を利用し、操作履歴を共有する相手を想像する機会を創出するコミュニケーションシステムである。
【００４１】
実施例２の構成は、図１に示す実施例１の構成と同様である。
【００４２】
次に、本発明の実施例２の制御動作について説明する。
【００４３】
図７は、本発明の実施例２の制御動作を示すフローチャートである。
【００４４】
ステップＳ１１において、発信元発信元通信端末１０１は、利用者のアドレス検索操作に従って、対象となる相手のアドレス検索を開始する。ステップＳ１２において、発信元通信端末１０１は、管理サーバ１２０に対して、対象となる相手との通信履歴情報を問い合わせる。ステップＳ１３において、管理サーバ１２０は、問い合わせた利用者と問い合わせ対象の相手との通信履歴を、通信端末情報データベース１２１から検索する。
【００４５】
図８は、実施例２において、問い合わせした発信元通信端末１０１に対して、管理サーバ１２０が返信する応答メッセージの通信フレームを示す図である。
【００４６】
応答メッセージの通信フレームは、問い合わせ通信端末や、問い合わせ対象の通信端末のネットワークアドレスを含むヘッダと、問い合わせたコマンドのＩＤと、音声通話、電子メールの発着信間隔と、エラーチェック情報とによって構成されている。
【００４７】
ステップＳ１４において、管理サーバ１２０は、発信元通信端末１０１に対して、図８に示す形式で、応答メッセージを送信する。ステップＳ１５において、発信元通信端末１０１は、通信履歴に対応した画像と問い合わせ対象の相手の個人情報とを表示する。
【００４８】
図９は、実施例２において、通信履歴に対応した抽象化画像の表示例を示す図である。
【００４９】
問い合わせた相手との通信履歴の間隔が短いときは、顔写真や似顔絵が、くっきりと表示され、問い合わせた相手との通信履歴の間隔が長いときは、顔写真や似顔絵が、薄く表示される。
【００５０】
このように表示することによって、相手との具体的なコミュニケーションに発展しなくても、相手のことを思ったり想像したりする機会が増加する。
【００５１】
実施例２によれば、操作履歴を共有する相手との具体的な通信履歴に応じて、相手の顔写真や、似顔絵の濃さや、色が変化して表示されるので、直接的なコミュニケーション行為には発展しなくても、相手と話していない時間や、メール交換をしていない期間がどの位であるかを知ることができ、相手のことを想像する機会が創出される。
【実施例３】
【００５２】
図１０は、本発明の実施例３であるコミュニケーションシステムＣＳ３を示すブロック図である。
【００５３】
コミュニケーションシステムＣＳ３は、操作履歴を共有する相手と会っていない時間に応じて、長さが変化する棒の長さを共有するコミュニケーションシステムである。
【００５４】
コミュニケーションシステムＣＳ３は、会っていない時間に応じて長さの変化する物理的構成（伸縮自在の棒等）を持つコミュニケーション端末１００１、１００２と、ネットワーク１００３と、各利用者が所有する携帯端末１００４、１００５と、コミュニケーション端末および携帯端末を管理する管理サーバ１００６とを有する。
【００５５】
図１１は、コミュニケーション端末１００１の構成例を示すブロック図である。
【００５６】
コミュニケーション端末１００１は、会っていない時間に対応して長さが変化する伸縮棒１１０１と、ラックギア１１０２と、ピニオンギア１１０３と、モータ１１０４と、エンコーダ１１０５と、エンコードカウンタ１１０６と、サーボアンプ１１０７と、Ｄ／Ａ変換器１１０８と、制御装置１１０９と、タイムカウンタ１１１０と、リセットスイッチ１１１１と、送受信装置１１１２とを有する。
【００５７】
コミュニケーション端末１００１において、モータ１１０４の回転運動を、ピニオンギア１１０３が、ラックギア１１０２の伸縮運動に変換し、これによって、伸縮棒１１０１が伸び縮みする。
【００５８】
伸縮棒１１０１の伸縮量は、モータ１１０４の回転数によって決まるので、制御装置１１０９からの制御信号を、Ｄ／Ａ変換器１１０８がＤ／Ａ変換し、サーボアンプ１１０７に送ることによって、モータの回転数が制御される。また、モータの回転数は、エンコーダとエンコードカウンタとによってカウントされ、制御装置にフィードバックされる。
【００５９】
リセットスイッチ１１１１は、利用者が相手と会った場合に押されるものであり、リセットスイッチ１１１１が押されると、タイムカウンタ１１１０がリセットされ、伸縮棒１１０１が最も短くなるように制御される。リセットスイッチ１１１１が押されると、タイムカウンタ１１１０のカウント値がリセットされ、タイムカウンタ１１１０が時間の計測を開始し、その時間に比例して、伸縮棒１１０１が伸びるように制御される。
【００６０】
また、リセットスイッチ１１１１は、送受信装置１１１２が受信した制御信号によって、遠隔地から制御することができる。リセットスイッチ１１１１を遠隔地から制御する場合、携帯端末１００４、１００５からの制御信号を、管理サーバが受け取り、コミュニケーション端末１００１、１００２に送信することによって、リセットスイッチ１１１１を遠隔地から制御する。
【００６１】
コミュニケーション端末１００２の構成は、コミュニケーション端末１００１の構成と同様である。
【００６２】
ここで、携帯端末１００４、１００５は、お互いに近距離無線通信が可能であり、携帯端末を持った利用者同志が近づくだけで、会ったことを検知し、管理サーバ１００６を介して、コミュニケーション端末１００１、１００２のそれぞれの伸縮棒１１０１を自動的に制御することができる。さらに、携帯端末１００４、１００５は、コミュニケーション端末１００１、１００２との間における近距離無線通信が可能であり、リセットスイッチ１１１１を制御するリモコンとしても動作する。
【００６３】
コミュニケーションシステムＣＳ３は、操作履歴を共有する相手と会っていない時間に応じて、長さが変化する物理的構成と、最後に会ってからの経過時間を計測する手段とを持つコミュニケーション環境を実現する。
【００６４】
実施例３によれば、操作履歴を共有する相手と会っていない時間に応じて、長さが変化する物理的媒体によって、相手との直接的なメッセージの交換がなくても、会っていない時間をお互いに意識することによって、お互いを思うことが多くなるコミュニケーション環境を実現している。
【００６５】
上記実施例によれば、通信端末に対する操作履歴を共有しても差し支えのない人間関係にある複数の人同志で、操作履歴を伝え合うことによって、電話や電子メール等の具体的なコミュニケーション行為に発展しなくても、相手のことを思う機会を増加させることができる。
【００６６】
つまり、相手の通信端末に相手が何らかの操作をすると、その入力内容に基づいて、自分の端末に表示される抽象的な画像には、相手の操作内容が反映されていることによって、発信者のことをある程度知っている人、または理解している人であれば、何となく相手の行動や気持ちを推測できる。
【００６７】
また、本発明で取り扱う操作履歴は、通信端末に対する通常の操作、または、簡単な入力によって得られる情報であるので、情報発信に対する負担がほとんどなく、また、操作履歴に基づいて換算され、抽象化された画像が、相手の端末に表示されるので、第三者が発見しても、発信者や発信場所を特定できないか、または、当事者以外が知ってもあまり意味がない。
【００６８】
したがって、上記実施例は、利用者の負担を軽くした履歴情報を共有することによって、相手のことを想像したり、相手が変わりなく活動していることを知って安心したりするといった人間の内面的な効果を生み出す。
【００６９】
行動履歴を見られても差し支えのない人間関係がある相手に、通信端末に対して意識的、または無意識のうちに入力した操作履歴を柔らかく伝え、かつ、情報を発信している自分自身に対しても、相手に見られているという精神的不安が軽減する。
【００７０】
また、お互いに共有する行動履歴は、テキスト表現等の明確な情報提示ではないので、第三者に見られても、送信者が誰であるのか、発信している場所は何処であるのかが分からないように工夫されている。このために、操作履歴を共有する相手は限られた人であり、情報を共有することによって、相手のことを想像したり、相手が変わりなく活動していることを知って安心する等、人間の内面的な効果に、上記実施例は着目したものである。
【００７１】
操作履歴は、通信端末に対する通常の操作、または、簡単な入力によって得られる情報であるので、情報発信に対する負担がほとんどない。また、操作履歴に基づいて換算され、抽象化された画像が、相手の端末に表示されるので、第三者が発見しても、発信者や発信場所を特定することができず、当事者以外の者が知ってもあまり意味がない。
【００７２】
また、上記実施例は、利用者が通信端末を操作した操作履歴を共有し合う複数の通信端末と、上記通信端末間の通信と、上記通信端末の参加、退出とを管理する管理サーバと、上記通信端末に関する情報と上記通信端末間のルーティング経路とを登録する通信端末情報データベースとを具備するコミュニケーションシステムにおいて、上記通信端末は、利用者の操作履歴をメモリに記憶し、上記操作履歴に対応するコマンドを上記管理サーバに送信する端末であり、上記管理サーバは、上記通信端末が送信したコマンドを受信し、上記通信端末との間で、操作履歴を共有している宛先通信端末を、上記通信端末情報データベースから検索し、検索された宛先通信端末に、抽象化された画像を表示し、音楽を再生するためのコマンドを送信するサーバであり、上記宛先通信端末は、上記管理サーバから受信したコマンドに応じて、抽象化画像を表示し、音楽を再生する通信端末であり、上記通信端末に対する操作履歴情報を共有することによって、お互いの存在、行動を伝え合うことを特徴とする操作履歴を用いたコミュニケーションシステムの例である。
【００７３】
この実施例によれば、操作履歴を共有するように設定している相手の通信端末に相手が何らかの操作をすると、その入力内容に基づいて、自分の端末に抽象的な画像が表示される。抽象的な画像は、相手の操作内容が反映されているので、発信者のことをある程度知っている人、または理解している人であれば、何となく相手の行動や気持ちを推測することができる。
【００７４】
また、上記実施例において、上記通信端末は、操作履歴を共有している相手との音声通話履歴と、電子メール送受信履歴とに応じて、アドレス帳に登録されている相手の顔写真、似顔絵の濃さ、色を変化させて表示する端末である。
【００７５】
これによって、操作履歴を共有する相手との具体的な通信履歴に応じて、濃さや色の変化する相手の顔写真や似顔絵が表示され、直接的なコミュニケーション行為には発展しなくとも、相手と話していない時間や、メール交換をしていない期間がどのくらいであるかを知るだけで、相手のことを想像する機会が創出される。
【００７６】
さらに、上記実施例において、上記通信端末は、操作履歴を共有する相手に会っていない時間に応じて、長さが変化する物理的構成と、上記操作履歴を共有する相手に最後に会ったときからの経過時間を計測する手段とを有する。
【００７７】
これによって、操作履歴を共有する相手と会っていない時間に応じて長さが変化し、相手との直接的なメッセージの交換がなくとも、会っていない時間をお互いに共有することでお互いを思う機会が増す。
【図面の簡単な説明】
【００７８】
【図１】本発明の実施例１であるコミュニケーションシステムＣＳ１の構成を示す図である。
【図２】コミュニケーションシステムＣＳ１の動作を示すフローチャートである。
【図３】操作履歴情報の通信フレームを示す図である。
【図４】コマンドの内容の例を示す図である。
【図５】本発明の実施例１を携帯電話に採用した場合の表示方法を示す図である。
【図６】実施例１において、相手の操作履歴に対して、音声を再生する場合の例を示す図である。
【図７】本発明の実施例２の制御動作を示すフローチャートである。
【図８】実施例２において、問い合わせした発信元通信端末１０１に対して、管理サーバ１２０が返信する応答メッセージの通信フレームを示す図である。
【図９】実施例２において、通信履歴に対応した抽象化画像の表示例を示す図である。
【図１０】本発明の実施例３であるコミュニケーションシステムＣＳ３を示すブロック図である。
【図１１】コミュニケーション端末１００１の構成例を示すブロック図である。
【符号の説明】
【００７９】
１０１、１０２、１０３…コミュニケーション端末、
１０４、１０５、１０６…入力装置、
１０７、１０８、１０９…処理装置、
１１０、１１１、１１２…メモリ、
１１３、１１４、１１５…送受信装置、
１１６、１１７、１１８…出力装置、
１１９、１００３…ネットワーク、
１２０、１００６…管理サーバ、
１２１…通信端末情報データベース、
１００１、１００２…コミュニケーション端末、
１００４、１００５…携帯端末、
１１０１…伸縮棒、
１１０２…ラックギア、
１１０３…ピニオンギア、
１１０４…モータ、
１１０５…エンコーダ、
１１０６…エンコーダカウンタ、
１１０７…サーボアンプ、
１１０８…Ａ／Ｄ変換器、
１１０９…制御装置、
１１１０…タイムカウンタ、
１１１１…スイッチ、
１１１２…送受信装置。
【図１】
2005333538.tif 000003
【図２】
2005333538.tif 000004
【図３】
2005333538.tif 000005
【図４】
2005333538.tif 000006
【図５】
2005333538.tif 000007
【図６】
2005333538.tif 000008
【図７】
2005333538.tif 000009
【図８】
2005333538.tif 000010
【図９】
2005333538.tif 000011
【図１０】
2005333538.tif 000012
【図１１】
2005333538.tif 000013